(57)【要約】      （修正有）【課題】水道水の使用時において、一時的に止水したい場合、いちいちコックを回動して止水や出水させる必要のない水道水の節水装置を提供する。【解決手段】水道の蛇口１の下方部外周面に環状の固定環２を密嵌固定すると共に、固定環２の下部内周面部に円盤状の固定板３の外周面部を密嵌固定し、且つ固定板３の底面に、下面に摘み用のレバー４を垂設した円盤状の止水板５が、固定板３の中央に固定して垂設された連結杆６に回動可能に軸支され、更に、固定板３および止水板５には、それぞれ同一間隔で複数個の通水孔８が円状に貫通して穿設され、固定板３の下面側の通水孔８の外側位置に環状のパッキング１０を固定すると共に、固定環２の下方部は止水板５より下方へ延設して飛散防止壁７を形成する。【選択図】図１
2013130048.tif 000002
【特許請求の範囲】
【請求項１】
水道の蛇口の下方部外周面に環状の固定環を密嵌固定すると共に、該固定環の内周面部に円盤状の固定板の外周面部が密嵌固定される一方、該固定板の上面外周縁部が前記蛇口の底面に圧接して固定され、且つ前記固定板の底面に摺接するようにして、下面に摘み用のレバーを垂設した円盤状の止水板が、前記固定板の中央に固定して垂設された連結杆に回動可能に軸支され、更に、前記固定板および止水板には、それぞれ同一間隔で複数個の通水孔が円状に貫通して穿設される一方、前記固定板の下面側の通水孔の外側位置に環状のパッキングを固定すると共に、前記固定環の下方部は前記止水板より下方へ延設して飛散防止壁を形成したことを特徴とする水道水の節水装置。
【発明の詳細な説明】
【技術分野】
【０００１】
本発明は、例えば、台所における皿洗い、または洗面所における洗顔あるいは歯磨きのために、一旦蛇口のコックをひねって水道水を出して、皿洗い等をしているときに、節水のために一時的に止水したい場合に、コックをひねることなく、レバーを用いて止水板を正・逆いずれかの方向へ回動させて、固定板と止水板にそれぞれ穿設された複数個の通水孔が貫通しないようにして閉鎖することにより、簡単に止水でき、更に、レバーを用いて止水板を正・逆いずれかの方向へ回動させて、前記各通水孔を貫通せしめることにより直ちに出水させることができ、いちいちコックをひねって止水や出水させる必要のない水道水の節水装置に関するものである。
【背景技術】
【０００２】
従来、例えば、台所や洗面所等において水道のコックをひねって蛇口から出水させて、皿洗いや洗顔あるいは歯磨き等をしているとき、他の作業をする必要が生じたとき、コックをひねって止水するのが面倒で水道水を出しっぱなしにして、他の作業をして、その作業完了後、再度皿洗いや洗顔あるいは歯磨き等を再開することがある。前記皿洗い等をしないときに、水道水を流しっぱなしにする分だけ無駄な水道水が使用されることになり、この無駄な水道水の積重ねが大きくなると、水道料金の無駄な支出となる。また、水道水を提供する地方公共団体の水道局にとっても、水道用水確保の上からも、無駄水のたれ流しは極めて大きな問題である。前記観点に立って水道水の節水装置に関して、過去の特許献を遡及検索したところ下記の特許文献に記載されたものが公知である。また一方、電磁バルブを用いて、バルブの開閉操作により止水したり、出水したりするものが実用に供されている。
【先行技術文献】
【特許文献】
【０００３】
【特許文献１】特開２００７−１６２４００号公報
【特許文献２】実用新案登録第３０９３２４８号公報
【発明の概要】
【発明が解決しようとする課題】
【０００４】
前記各特許文献に記載された節水装置は、いずれも水道水の流量を調整するものであって、簡単な操作で水道水を止水したり、あるいは出水させたりすることができず、無駄な水の使用を防止するという作用および効果を奏することができないという課題があった。また、前記電磁バルブ方式のものは、非常に高価であるという課題があった。
【０００５】
本発明は、前記課題を解決すべくなされたものであって、水道水の出水時においても、レバーを用いて止水板を正・逆いずれかの方向へ回動させて、固定板と止水板にそれぞれ穿設された複数個の通水孔が貫通しないようにして閉鎖することにより、簡単、且つ瞬時に止水でき、更に、いちいちコック操作をすることなく、レバーを用いて止水板を正・逆いずれかの方向へ回動させて、前記各通水孔を貫通せしめることにより瞬時に出水させることができし、また前記各通水孔の貫通度を適宜調整することにより出水する水量を少なくすることもできると共に、出水する水勢を弱めることもでき、然も、皿洗い等の蛇口近傍における操作であるので、手に洗剤や石けん等が付着していても、問題なく止水板の回動操作ができ、且つ構造簡単にして、安価に製造することができる水道水の節水装置を提供しようとするものである。
【課題を解決するための手段】
【０００６】
本発明は、水道の蛇口の下方部外周面に環状の固定環を密嵌固定すると共に、該固定環の内周面部に円盤状の固定板の外周面部が密嵌固定される一方、該固定板の上面外周縁部が前記蛇口の底面に圧接して固定され、且つ前記固定板の底面に摺接するようにして、下面に摘み用のレバーを垂設した円盤状の止水板が、前記固定板の中央に固定して垂設された連結杆に回動可能に軸支され、更に、前記固定板および止水板には、それぞれ同一間隔で複数個の通水孔が円状に貫通して穿設される一方、前記固定板の下面側の通水孔の外側位置に環状のパッキングを固定すると共に、前記固定環の下方部は前記止水板より下方へ延設して飛散防止壁を形成するという手段を採用したことにより、上記課題を解決した。
【発明の効果】
【０００７】
本発明は、例えば、台所において皿洗い等の作業をしているときに、水道水の出水を止めたい場合は、レバーを持って止水板を正・逆いずれかの方向へ回動して、前記止水板の通水孔と固定板の通水孔とが貫通しないようにして、該止水板の各通水孔間の平面部が固定板の各通水孔を閉鎖して、水道水の前記通水孔よりの出水を阻止して止水することができると共に、逆に前記止水状態から出水させたい場合は、前記レバーを用いて止水板を正・逆いずれかの方向へ回動させて、前記各通水孔を貫通せしめることにより瞬時に出水させることができ、また前記各通水孔の貫通度を適宜調整することにより出水する水量を少なくすることもできると共に、出水する水勢を弱めることもでき、然も、皿洗い等の蛇口近傍における操作であるので、手に洗剤や石けん等が付着していても、問題なく止水板の回動操作ができ、且つ構造簡単にして、安価に製造することができ、更に、水道水の水圧によって固定板と止水板との外周縁部より漏出しようとする水道水は、パッキングによって漏出が阻止されるので、水道水の節水を図ることができる。また更に、前記パッキングが径年変化等により劣化して性能が落ち、水道水が円周方向へ漏出したとしても、該漏出した水道水が前記飛散防止壁により円周方向へ飛散するのが阻止されて、下方向へ流下し横方向へ飛び散ることがない。
【図面の簡単な説明】
【０００８】
【図１】本発明水道水の節水装置における止水時の縦断面図である。
【図２】本発明水道水の節水装置における出水時の縦断面図である。
【図３】本発明水道水の節水装置の組立分解斜視図である。
【図４】本発明水道水の節水装置において出水量を少なくするときの状態を示す縦断面図である。
【実施例】
【０００９】
本発明の実施例につき図面に基づいて詳細に説明する。水道の蛇口１の下方部外周面に環状の固定環２の上方内周面部を密嵌固定すると共に、該固定環２の内周面部に円盤状の固定板３の外周面部が密嵌固定される一方、該固定板３の上面外周縁部が前記蛇口１の底面に圧接して固定され、更に、該固定板３の底面に摘み用のレバー４を垂設した円盤状の止水板５が、前記固定板３の中央に固定して垂設された連結杆６に回動可能に軸支され、該止水板５の上面が前記固定板３の内周壁面に摺接して回動できるよう形成され、且つ前記固定環２の下方部は前記止水板５より下方へ延設されて、水道水が漏出して飛散するのを防止する飛散防止壁７が形成されている。なお、前記固定環２は、特に限定する必要はないが、好ましくは、伸縮性と弾性を有するゴム製、あるいは軟質合成樹脂製とすることが推奨される。
【００１０】
そして、前記固定板３および止水板５には、それぞれ同一間隔で複数個の通水孔８・９が円状に貫通して穿設されると共に、前記固定板３の下面側の通水孔８の外側位置には環状のパッキング１０が固定されており、前記固定板３の下面に止水板５を摺接して回動したとき、該パッキング１０の下面が止水板５の上面に密接して水道水が遮水されて、固定板３および止水板５間から漏出しないよう形成されている。
【００１１】
なお、前記パッキング１０の径年変化等により劣化して性能が落ち、水道水が円周方向へ漏出したとしても、該漏出した水道水が前記飛散防止壁７により円周方向への飛散が阻止されて、下方向へ流下し横方向へ飛び散ることがない。
【００１２】
前記構成より成る本発明に係る水道水の節水装置の作用について説明すると、水道の蛇口１のコックをひねって、水道水を固定板３および止水板５の各通水孔８・９を通過して、例えば、台所のシンクに出水させる場合、前記止水板５のレバー４を持って該止水板５を正・逆いずれかの方向へ回動させて、前記各通水孔８・９を合わせて貫通させることにより、該各通水孔８・９を通して水道水を出水させることができる。また、図４に示すように、各通水孔８・９を完全に貫通させることなく、一部を閉鎖するようにすることにより、出水量を少なくすることもできる。
【００１３】
一方、前記台所において、皿洗い等の作業をしているときに、水道水の出水を止めたい場合は、前記レバー４を持って前記止水板５を正・逆いずれかの方向へ回動して、前記止水板５の通水孔９と固定板３の通水孔８とが貫通しないようにして、該止水板５の各通水孔９間の平面部１１が固定板３の各通水孔８を閉鎖して、水道水の前記各通水孔９よりの出水を阻止すると共に、水道の水圧によって固定板３と止水板５との外周縁部より漏出しようとする水道水は、パッキング１０によって遮水されて漏出が阻止され、水道水の不使用時の節水を図ることができる。そして、仮に、水道水の圧力が強く、あるいはパッキング１０の径年変化等により劣化して性能が落ち、水道水が円周方向へ漏出したとき、該漏出した水道水が前記飛散防止壁７により円周方向への漏水が阻止されて、下方向へ流下し横方向へ飛び散ることがない。
【符号の説明】
【００１４】
１  水道の蛇口
２  固定環
３  固定板
４  レバー
５  止水板
６  連結杆
７  飛散防止壁
８・９  通水孔
１０  パッキング  
１１  平面部
【図１】
2013130048.tif 000003
【図２】
2013130048.tif 000004
【図３】
2013130048.tif 000005
【図４】
2013130048.tif 000006